(57)【特許請求の範囲】
【請求項１】
室内に複数の支柱を立設し、互いに隣接する１対の支柱間にパネルを架設することにより、室内を所望に仕切るようにした間仕切装置において、
他の支柱との間にパネルを架設することがない終端部の支柱の外側面に取り付けられるエンドカバーに、外側方に向かって延出する垂直の突片を設け、上記突片の先端部を、対向する複数のパネルの直線連結部における互いに隣接する１対のパネル間に形成した間隙に嵌合したことを特徴とする間仕切装置。
【請求項２】
突片の先端部の厚さを、他部より大としたことを特徴とする請求項１記載の間仕切装置。
【請求項３】
エンドカバーを取り付けようとする支柱の外側面に、上下方向を向く凹溝を設け、この凹溝の対向面に、互いに対向する上下方向に長い長孔状の係合孔を設け、両係合孔に、ブラケットにおける基部より、前記凹溝内に延出する嵌合部の先端に設けた互いに外向きの１対の下向き係合片を係止し、前記基部に設けた上向き突片に、エンドカバーの裏面に設けた凹部の上縁を係止させることにより、エンドカバーを支柱に取り付け、かつ前記ブラケットにおける凹溝に嵌合される部分の上下方向の長さを、前記凹溝の幅より小としたことを特徴とする請求項１または２に記載の間仕切装置。
【発明の詳細な説明】
【技術分野】
【０００１】
本発明は、室内空間を所望に仕切る間仕切装置に関する。
【背景技術】
【０００２】
従来、室内に立設した複数の支柱のうち、互いに隣接する１対の支柱間に化粧パネルを架設することにより、室内を所望に仕切るようにした間仕切装置がある。この種の間仕切装置において、他の支柱との間にパネルを架設することがない終端部の支柱の外側面には、フラットな形状のエンドカバーが取り付けられている（例えば、特許文献１参照）。
【特許文献１】特開２００２−２８５６６５号公報
【発明の開示】
【発明が解決しようとする課題】
【０００３】
上記のような従来の間仕切装置の構造によると、エンドカバーが取り付けられている部分の化粧パネルをもう少しだけ延長したいような場合、エンドカバーが取り付けられている支柱の位置を変更し、かつ化粧パネルを幅の大きなものと交換するか、または、化粧パネルの延長上に新たな支柱を立設し、その追加の支柱とエンドカバーが取り付けられていた支柱との間に、狭幅の新たな化粧パネルを架設するかしなければならない。
しかし、そのいずれの場合も、構造が複雑になるとともに、組み立て作業が繁雑になり、コストも上昇する。
【０００４】
本発明は、従来の技術が有する上記のような問題点に鑑み、既存の支柱やパネルを変更したり、追加したりすることなく、パネル面を簡易的にわずかに延長することができるとともに、エンドカバーに設けた突片を他の目的にも利用することができ、しかも構造および組立が簡単で、安価に製造しうるようにした間仕切装置を提供することを目的としている。
【課題を解決するための手段】
【０００５】
本発明によると、上記課題は、次のようにして解決される。
(１)室内に複数の支柱を立設し、互いに隣接する１対の支柱間にパネルを架設することにより、室内を所望に仕切るようにした間仕切装置において、他の支柱との間にパネルを架設することがない終端部の支柱の外側面に取り付けられるエンドカバーに、外側方に向かって延出する垂直の突片を設け、上記突片の先端部を、対向する複数のパネルの直線連結部における互いに隣接する１対のパネル間に形成した間隙に嵌合する。
【０００６】
(２)上記(１)項において、突片の先端部の厚さを、他部より大とする。
【０００７】
(３)上記(１)または(２)項において、エンドカバーを取り付けようとする支柱の外側面に、上下方向を向く凹溝を設け、この凹溝の対向面に、互いに対向する上下方向に長い長孔状の係合孔を設け、両係合孔に、ブラケットにおける基部より、前記凹溝内に延出する嵌合部の先端に設けた互いに外向きの１対の下向き係合片を係止し、前記基部に設けた上向き突片に、エンドカバーの裏面に設けた凹部の上縁を係止させることにより、エンドカバーを支柱に取り付け、かつ前記ブラケットにおける凹溝に嵌合される部分の上下方向の長さを、前記凹溝の幅より小とする。
【発明の効果】
【０００８】
本発明によると、次のような効果を奏することができる。
請求項１記載の発明によると、エンドカバーに突片を設けることにより、既存の支柱やパネルを変更したり、追加したりすることなく、パネル面を簡易的にわずかに延長することができるとともに、エンドカバーに設けた突片を、例えばサインパネルとして利用したり、物品の吊り下げに利用する等、多目的ボードとして利用することができる。
また、エンドカバーに突片を設けるだけでよいので、構造および組立が簡単で、安価に製造することができる。
さらに、突片の先端部を、１対の間仕切パネル間の間隙に嵌合することにより、他の間仕切パネルと簡単に、隙間なくジョイントすることができる。また、エンドカバーが設けられた間仕切パネルと、それに対向する他の間仕切パネルとの間における光洩れを防止することができるとともに、エンドカバーの突片を、サインパネルや物品の吊り下げ等、多目的に利用することができる。
【０００９】
請求項２記載の発明によると、突片の先端部の厚さを、他部より大としてあるので、突片の先端部を補強することができるとともに、他の構造物の間隙に嵌合したときのがたつきを防止することができる。
【００１０】
請求項３記載の発明によると、ブラケットを、装着後の姿勢より、支柱の外側面と直交する水平軸回りに９０°回転させた姿勢で、支柱の凹溝に嵌合し、次いで、上記軸回りに９０°復帰回転させつつ、両下向き係合片を、凹溝の内面に対向する係合孔に嵌合し、次いで下降させることにより、両下向き係合片を、係合孔の下縁に係止させ、簡単に支柱に装着することができる。
さらに、上記のようにして支柱に装着したブラケットの基部に設けた上向き突片に、エンドカバーの裏面に設けた凹部の上縁を係止させるだけで、エンドカバーを支柱に簡単に取り付けることができる。
【発明を実施するための最良の形態】
【００１１】
以下、本発明の間仕切装置の実施形態を図面を参照して説明する。
図１は、本発明の第１の実施形態における要部の斜視図、図２は、図１のII-II線拡大断面図、図３は要部の分解斜視図である。なお、図２における左右を左右方向、上下を前後方向として説明する。
【００１２】
図１に示すように、この間仕切装置は、左右方向を向く間仕切ユニット(１)の右端を、前後方向を向く間仕切ユニット(２)に対して、平面視Ｔ字状をなすように連結したものよりなっている。
【００１３】
間仕切ユニット(１)は、床に立設した左右１対の支柱(３)(その左方のもののみを図２および図３に示す)間の前後両面に、パネル(４)(４)を架設したものよりなり、間仕切ユニット(２)は、床上に前後方向に並べて立設した複数の支柱(いずれも図示略)のうち、互いに前後に隣接する１対ずつの支柱間の左右両面に、パネル(４)(４)を架設したものよりなっている。
なお、間仕切ユニット(１)も、床上に左右方向に並べて立設した複数の支柱(３)のうち、互いに左右に隣接する１対ずつの支柱間の前後両面に、パネル(４)(４)を架設し、左右方向に長いものとすることもある。
【００１４】
各パネル(４)は、板ガラスのような透光性のものや、金属板製もしくは木製、または布張り製のもの等、種々のものを用いることができる。また、互いに隣接する１対の支柱(３)間の中央に、１枚のパネル(４)のみを架設することもある。
【００１５】
この両間仕切ユニット(１)(２)の長さを適当に定めて、室内を所望に仕切るようになっており、図１および図２に示すように、他の支柱との間にパネル(４)(４)を架設することがない終端部の支柱(３)の外側面である左端面には、エンドカバー(５)が取り付けられている。
【００１６】
図２および図３に示すように、この支柱(３)は、互いに同一形状に折曲した２枚の金属板を、背中合わせとして接合することにより、左右の側面中央に上下方向を向く凹溝(3a)が設けられた前後方向に長い角管状に形成されている。
この左右の各凹溝(3a)における前後の対向面には、互いに対向する上下方向に長い長孔状の係合孔(６)(６)が、少なくとも支柱(３)の上下２箇所にそれぞれ設けられている。
【００１７】
支柱(３)の右側面における係合孔(６)(６)には、パネル(４)(４)係止用のブラケット(７)が、また支柱(３)の左側面における係合孔(６)(６)には、エンドカバー(５)係止用のブラケット(８)がそれぞれ装着されている。
【００１８】
ブラケット(７)(８)は、ともに、平面視コ字状の基部(7a)(8a)と、この基部(7a)(8a)の開口側の縁より前後方向外向きに延出する１対の下向き係合片(7b)(8b)とを備えている。
ブラケット(７)は、基部(7a)の下端より前後方向に延出する上向き係合片(7c)(7c)を備えており、ブラケット(８)は、基部(8a)の上端に突設された上向き突片(8c)を備えている。
【００１９】
図３に示すように、ブラケット(７)における基部(7a)の左右方向の長さ(L1)は、支柱(３)における凹溝(3a)の奥行き(L2)より大としてあり、また基部(7a)と下向き係合片(7b)との上下方向の長さ(L3)は、支柱(３)における凹溝(3a)の幅(ｗ)より小としてある。
【００２０】
ブラケット(８)における基部(8a)の左右方向の長さ(L4)は、支柱(３)における凹溝(3a)の奥行き(L2)より小としてあり、また上向き突片(8c)の上端から基部(8a)および下向き係合片(7b)の下端までの長さ(L5)は、支柱(３)における凹溝(3a)の幅(ｗ)より小としてある。
【００２１】
この例では、基部(8a)と上向き突片(8c)との全体が、凹溝(3a)内に嵌合するようにしてあるが、基部(8a)の左右方向の長さ(L4)を、支柱(３)における凹溝(3a)の奥行き(L2)より大とし、基部(8a)の一部と上向き突片(8c)とが、凹溝(3a)より外側方に突出するようにした場合は、ブラケット(７)におけるのと同様に、基部(8a)と下向き係合片(8b)との上下方向の長さを、支柱(３)における凹溝(3a)の幅(ｗ)より小とすればよい。
【００２２】
ブラケット(７)は、図３に矢印で示すように、装着後の本来の姿勢より、支柱(３)の右側面と直交する左右方向を向く水平軸回りに９０°回転させた姿勢で、下向き係合片(7b)と基部(7a)の一部とを、支柱(３)の内側面の凹溝(3a)に嵌合し、次いで、上記軸回りに９０°復帰回転させつつ、両下向き係合片(7b)(7b)を、凹溝(3a)の内面における前後の係合孔(６)(６)に嵌合し、次いで下降させることにより、両下向き係合片(7b)(7b)を、係合孔(６)(６)の下縁に係止させることによって、簡単に支柱(３)に装着することができる。
【００２３】
また、ブラケット(８)も、同様に図３に矢印で示すように、装着後の本来の姿勢より、支柱(３)の左側面と直交する左右方向を向く水平軸回りに９０°回転させた姿勢で、ブラケット(８)全体(基部(8a)の一部と上向き突片(8c)とが、凹溝(3a)より外側方に突出するようにした場合は、下向き係合片(8b)と基部(8a)の一部)を、支柱(３)の内側面の凹溝(3a)に嵌合し、次いで、上記軸回りに９０°復帰回転させつつ、両下向き係合片(8b)(8b)を、凹溝(3a)の内面における前後の係合孔(６)(６)に嵌合し、次いで下降させることにより、両下向き係合片(8b)(8b)を、係合孔(６)(６)の下縁に係止させることによって、簡単に支柱(３)に装着することができる。
【００２４】
上述のようにして支柱(３)に装着したブラケット(７)における支柱(３)より前後方向に延出する上向き係合片(7c)(7c)に、前後の各パネル(４)の背面上下部に設けた上下方向を向く長孔状の係合孔(９)を係止させることにより、各パネル(４)は、支柱(３)の前後面に簡単に装着される。
【００２５】
エンドカバー(５)は、前後方向を向く垂直の基片(5a)と、その外側面中央に外側方に向かって延出するように突設された垂直の突片(5b)と、基片(5a)の内側面中央に設けられた垂直の突条(5c)と、基片(5a)の前後の縁より内側方に平面視コ字状に巻き込むように連設された縁片(5d)(5d)とを備えている。
突条(5c)の前後方向の幅は、支柱(３)における凹溝(3a)の幅とほぼ同一かまたはそれより小とし、突条(5c)の基片(5a)からの突出量は、凹溝(3a)の奥行きとほぼ同一かまたはそれより小(ブラケット(８)における基部(8a)の一部と上向き突片(8c)とが、凹溝(3a)より外側方に突出するようにした場合は、大)とするのが好ましい。
【００２６】
エンドカバー(５)における突条(5c)の内部と右側面とには、前後方向に長い長孔(10)と、平面視Ｔ字状をなすＴ形溝(11)とが、突条(5c)の全長にわたって設けられている。また、エンドカバー(５)における突条(5c)の少なくとも上下２箇所には、上下方向の長さを、ブラケット(８)における上向き突片(8c)の上端から基部(8a)の下端までの長さより大とした切欠き(12)が設けられている。
【００２７】
エンドカバー(５)は、その突条(5c)の上下部に設けた切欠き(12)を、上述のようにして支柱(３)に装着したブラケット(８)における基部(8a)と上向き突片(8c)とに嵌合しつつ、突条(5c)を支柱(３)の外側面の凹溝(3a)に嵌合する。
次いで、エンドカバー(５)を若干下降させると、ブラケット(８)の上向き突片(8c)が、エンドカバー(５)における各切欠き(12)の上端より、長孔(10)内に嵌合し、エンドカバー(５)は、支柱(３)の外側面に係止される。
【００２８】
その後、エンドカバー(５)の上端を覆うように、間仕切ユニット(１)(２)の上端全体に上部カバー(13)を装着すると、エンドカバー(５)の上方への移動が阻止され、エンドカバー(５)は、支柱(３)に強固に取り付けられる。
【００２９】
このようにして、間仕切ユニット(１)の外側端に取り付けられたエンドカバー(５)には、外側方に向かって延出する垂直の突片(5b)を設けてあるので、この突片(5b)をパネル(４)の簡易的な延長部とすることができ、既存の支柱(３)やパネル(４)を変更したり、追加したりすることなく、パネル面を簡易的にわずかに延長することができるとともに、この突片(5b)を、例えばサインパネルとして利用したり、物品の吊り下げに利用する等、多目的ボードとして利用することができる。
また、エンドカバー(５)に突片(5b)を設けるだけでよいので、構造および組立が簡単で、安価に製造することができる。
【００３０】
支柱(３)とブラケット(８)とエンドカバー(５)とを、上記のような構成とすると、ブラケット(８)を簡単に支柱(３)に装着することができるとともに、エンドカバー(５)を支柱(３)に簡単に取り付けることができる。
【００３１】
図４および図５は、本発明の第２の実施形態の要部を示す。
この例では、エンドカバー(５)における突片(5b)の先端部を、対向する間仕切ユニット(14)における複数のパネル(４)(４)の直線連結部における互いに隣接する端部間の間隙(Ｓ)に嵌合してある。
【００３２】
これにより、間仕切ユニット(１)を、他の間仕切ユニット(14)に簡単に、隙間なくジョイントすることができるとともに、エンドカバー(５)が設けられた間仕切ユニット(１)と、それに対向する他の間仕切ユニット(14)との間における光洩れを防止することができるとともに、エンドカバー(５)の突片(5b)を、サインパネルや物品の吊り下げ等、多目的に利用することができる。
【００３３】
また、図示の例では、突片(5b)の先端部の厚さを、他の部分より若干大としてある。これにより、突片(5b)の先端部の間隙(Ｓ)内でのがたつきが防止できるとともに、突片(5b)の補強も可能となる。この補強の効果は、突片(5b)の先端部を間隙(Ｓ)内に嵌合したときだけでなく、図１に示すように、突片(5b)の先端部をフリーとしたときにも発揮することができる。
【図面の簡単な説明】
【００３４】
【図１】本発明の第１の実施形態における要部の斜視図である。
【図２】同じく、図１のII-II線拡大断面図である。
【図３】同じく、要部の分解斜視図である。
【図４】本発明の第２の実施形態における要部の斜視図である。
【図５】図４のＶ-Ｖ線拡大断面図である。
【符号の説明】
【００３５】
(１)(２)間仕切ユニット
(３)支柱
(3a)凹溝
(４)パネル
(５)エンドカバー
(5a)基片
(5b)突片
(5c)突条
(5d)縁片
(６)係合孔
(７)(８)ブラケット
(7a)(8a)基部
(7b)(8b)下向き係合片
(7c)上向き係合片
(8c)上向き突片
(９)係合孔
(10)長孔
(11)Ｔ形溝
(12)切欠き
(13)上部カバー
(14)間仕切ユニット
(L1)長さ
(L2)奥行き
(L3)〜(L5)長さ
(Ｓ)間隙
(ｗ)幅
【図１】
0004676271.tif 000002
【図２】
0004676271.tif 000003
【図３】
0004676271.tif 000004
【図４】
0004676271.tif 000005
【図５】
0004676271.tif 000006